(57)【要約】      （修正有）【課題】テーブル体の誤動作を防止できるコンソールボックスを提供すること。【解決手段】係止端部６７と押圧端部６６とを持ち傾動中心部を中心として規制位置と解除位置との間を傾動する傾動部６０と、傾動部６０を規制位置に付勢する傾動部付勢部材６１と、を持つ規制手段をコンソールボックスの蓋体に取り付ける。傾動部６０の係止端部６７は、規制位置において、収納位置に配置されているテーブル体４に係止し、テーブル体４のスライドを規制する。蓋体が半開位置と閉位置との間を回動する際には、傾動部６０の押圧端部６６がケース体１に当接して傾動部６０が解除位置に向けて傾動し、テーブル体４と係止端部６７との係止が解除され、テーブル体４がスライド可能になる。【選択図】図５
2010208563.tif 000002
【特許請求の範囲】
【請求項１】
開口を持つ箱状をなすケース体と、
該ケース体に枢支されている回動中心部を持ち、該開口を閉じる閉位置と、該開口を開く開位置と、の間を該回動中心部を中心として回動する蓋体と、
該蓋体にスライド可能に保持され、該蓋体と一体に回動するとともに、該蓋体に収納される収納位置と該蓋体から展開される展開位置との間をスライドするテーブル体と、
該テーブル体を該展開位置に向けて付勢するテーブル体付勢部材と、
該収納位置に配置された該テーブル体を該蓋体に対してロックするプッシュロックオープン式ロック手段と、
該蓋体に取り付けられている規制手段と、を持ち、
該規制手段は、
一端部である係止端部と他端部である押圧端部と該係止端部と該押圧端部との間に配置され該蓋体に枢支されている傾動中心部とを持ち、該蓋体と一体に回動するとともに、該収納位置に配置されている該テーブル体と該係止端部とが係止して該テーブル体のスライド移動を規制する規制位置と、該収納位置に配置されている該テーブル体と該係止端部との係止が解除される解除位置と、の間を該傾動中心部を中心として傾動する傾動部と、
該傾動部を該規制位置に向けて付勢する傾動部付勢部材と、を持ち、
該蓋体が該開位置と該閉位置との間の半開位置から該閉位置に向けて回動すると、該押圧端部が該ケース体に当接して該傾動部が該規制位置から該解除位置に向けて傾動することを特徴とするコンソールボックス。
【請求項２】
開口を持つ箱状をなすケース体と、
該ケース体に枢支されている回動中心部を持ち、該回動中心部を中心として該開口を閉じる第１閉位置と該開口を開く第１開位置と、の間を回動する第１蓋部と、
該第１蓋部に枢支されている副回動中心部を持ち、該副回動中心部を中心として該第１蓋部に近接する第２閉位置と該第１蓋部から離間する第２開位置と、の間を回動する第２蓋部と、
該第１蓋部にスライド可能に保持され、該第１蓋部と一体に回動するとともに、該第１蓋部に収納される収納位置と該第１蓋部から展開される展開位置との間をスライドするテーブル体と、
該テーブル体を該展開位置に向けて付勢するテーブル体付勢部材と、
該収納位置に配置された該テーブル体を該第１蓋部に対してロックするプッシュロックオープン式ロック手段と、
該蓋体に取り付けられている規制手段と、を持ち、
該規制手段は、
一端部である係止端部と他端部である押圧端部と該係止端部と該押圧端部との間に配置され該蓋体に枢支されている傾動中心部とを持ち、該第１蓋体と一体に回動するとともに、該収納位置に配置されている該テーブル体と該係止端部とが係止して該テーブル体のスライド移動を規制する規制位置と、該収納位置に配置されている該テーブル体と該係止端部との係止が解除される解除位置と、の間を該傾動中心部を中心として傾動する傾動部と、
該傾動部を該規制位置に向けて付勢する傾動部付勢部材と、を持ち、
該第１蓋体が該第１開位置と該第１閉位置との間の第１半開位置から該第１閉位置に向けて回動すると、該押圧端部が該ケース体に当接して該傾動部が該規制位置から該解除位置に向けて傾動することを特徴とするコンソールボックス。
【請求項３】
前記係止端部の表面と前記押圧端部の表面とは、弾性変形可能なクッション材で構成されている請求項１または請求項２に記載のコンソールボックス。
【請求項４】
前記蓋体には、前記蓋体と別体成形された支持部が一体化され、
前記傾動部は、該支持部に枢支されるとともに、該支持部を介して前記蓋体に枢支されている請求項１または請求項３に記載のコンソールボックス。
【請求項５】
前記第１蓋部には、前記第１蓋部と別体成形された支持部が一体化され、
前記傾動部は、該支持部に枢支されるとともに、該支持部を介して前記第１蓋部に枢支されている請求項２または請求項３に記載のコンソールボックス。
【発明の詳細な説明】
【技術分野】
【０００１】
本発明は、車両に搭載されるコンソールボックスに関し、詳しくは、スライド式のテーブルを持つコンソールボックスに関する。
【背景技術】
【０００２】
車両に搭載されるコンソールボックスとしては、開口を持つ箱状をなすケース体と、ケース体の開口を開閉する蓋体とを持つものが知られている。一般に蓋体は、ケース体に枢支され、ケース体の開口を閉じる閉位置とケース体の開口を開く開位置の間を回動する。
【０００３】
この種のコンソールボックスの一種として、蓋体に対して展開／収納可能なテーブル体を設けたものがある。テーブル体は、蓋体と一体に回動するとともに、蓋体に収納される収納位置と蓋体から展開される展開位置との間をスライドする。この種のコンソールボックスにおけるテーブル体は、蓋体が閉位置に配置されているときに使用される。このためテーブルは、蓋体が閉位置に配置されているとき以外には、蓋体にロックされる。ところで、テーブルを蓋体にロックする機構としては、ハートカム機構に代表されるプッシュロックオープン式のロック機構が一般に用いられている。この種のロック機構は、容易にロック操作およびロック解除操作をできるためである。しかし、プッシュロックオープン式のロック機構でテーブル体を蓋体にロックする場合、何らかの衝撃（例えば、急制動による衝撃など）が車両に加わると、ロックが解除され、蓋体が開位置に配置されているのにもかかわらずテーブル体が展開位置に向けて飛び出す（以下、テーブル体が誤動作すると呼ぶ）可能性がある。また、ユーザーが想定外のロック解除操作をしてしまう可能性もある。
【０００４】
特許文献１には、アームレストにスライド可能に保持されているテーブル体の誤動作を防止する技術が開示されている。特許文献１のアームレストは、振り子や球体等の重力によって動作する規制手段を持つ。アームレストが略垂直位置に配置されると、規制手段は重力によって移動し、テーブル体の奥側（すなわち、プッシュロックオープン式ロック手段のロックを解除する際のテーブル体のスライド方向の先側）に配置される。このため、規制手段はテーブル体のスライド移動を規制する。したがってアームレストを略垂直位置に配置したときには、テーブル体は収納位置にロックされたままであり、テーブル体の誤動作が防止される。また、アームレストが略水平位置に配置されると、規制手段はテーブル体の奥側から移動する。このためテーブル体は、展開位置にスライド移動可能になる。
【０００５】
特許文献１の技術をコンソールボックスに転用すれば、コンソールボックスにおけるテーブル体の誤動作を防止できると考えられる。しかし、特許文献１における規制手段は、衝突時等、車両に非常に大きな衝撃が加わった時に動作する可能性がある。また、車両姿勢によっては、ユーザーがアームレストを略水平位置に配置しなくても、規制手段が動作する可能性がある。これらの場合には、依然として、テーブル体が誤動作する可能性がある。よって、テーブル体の誤動作をより信頼性高く防止できる技術が求められている。
【先行技術文献】
【特許文献】
【０００６】
【特許文献１】特開平８−１００９９号公報
【発明の概要】
【発明が解決しようとする課題】
【０００７】
本発明は上記事情に鑑みてなされたものであり、テーブル体の誤動作を防止できるコンソールボックスを提供することを目的とする。
【課題を解決するための手段】
【０００８】
上記課題を解決する本発明の第１のコンソールボックスは、
開口を持つ箱状をなすケース体１と、
該ケース体１に枢支されている回動中心部２０を持ち、該開口を閉じる閉位置と、該開口を開く開位置と、の間を該回動中心部２０を中心として回動する蓋体と、
該蓋体にスライド可能に保持され、該蓋体と一体に回動するとともに、該蓋体に収納される収納位置と該蓋体から展開される展開位置との間をスライドするテーブル体４と、
該テーブル体４を該展開位置に向けて付勢するテーブル体付勢部材と、
該収納位置に配置された該テーブル体４を該蓋体に対してロックするプッシュロックオープン式ロック手段と、
該蓋体に取り付けられている規制手段６と、を持ち、
該規制手段６は、
一端部である係止端部６７と他端部である押圧端部６６と該係止端部６７と該押圧端部６６との間に配置され該蓋体に枢支されている傾動中心部６３とを持ち、該蓋体と一体に回動するとともに、該収納位置に配置されている該テーブル体４と該係止端部６７とが係止して該テーブル体４のスライド移動を規制する規制位置と、該収納位置に配置されている該テーブル体４と該係止端部６７との係止が解除される解除位置と、の間を該傾動中心部６３を中心として傾動する傾動部６０と、
該傾動部６０を該規制位置に向けて付勢する傾動部付勢部材６１と、を持ち、
該蓋体が該開位置と該閉位置との間の半開位置から該閉位置に向けて回動すると、該押圧端部６６が該ケース体１に当接して該傾動部６０が該規制位置から該解除位置に向けて傾動することを特徴とする。
【０００９】
上記課題を解決する本発明の第２のコンソールボックスは、
開口を持つ箱状をなすケース体１と、
該ケース体１に枢支されている回動中心部２０を持ち、該回動中心部２０を中心として該開口を閉じる第１閉位置と該開口を開く第１開位置と、の間を回動する第１蓋部２と、
該第１蓋部２に枢支されている副回動中心部を持ち、該副回動中心部を中心として該第１蓋部２に近接する第２閉位置と該第１蓋部２から離間する第２開位置と、の間を回動する第２蓋部３と、
該第１蓋部２にスライド可能に保持され、該第１蓋部２と一体に回動するとともに、該第１蓋部２に収納される収納位置と該第１蓋部２から展開される展開位置との間をスライドするテーブル体４と、
該テーブル体４を該展開位置に向けて付勢するテーブル体付勢部材と、
該収納位置に配置された該テーブル体４を該第１蓋部２に対してロックするプッシュロックオープン式ロック手段と、
該蓋体に取り付けられている規制手段６と、を持ち、
該規制手段６は、
一端部である係止端部６７と他端部である押圧端部６６と該係止端部６７と該押圧端部６６との間に配置され該蓋体に枢支されている傾動中心部６３とを持ち、該第１蓋体と一体に回動するとともに、該収納位置に配置されている該テーブル体４と該係止端部６７とが係止して該テーブル体４のスライド移動を規制する規制位置と、該収納位置に配置されている該テーブル体４と該係止端部６７との係止が解除される解除位置と、の間を該傾動中心部６３を中心として傾動する傾動部６０と、
該傾動部６０を該規制位置に向けて付勢する傾動部付勢部材６１と、を持ち、
該第１蓋体が該第１開位置と該第１閉位置との間の第１半開位置から該第１閉位置に向けて回動すると、該押圧端部６６が該ケース体１に当接して該傾動部６０が該規制位置から該解除位置に向けて傾動することを特徴とする。
【００１０】
本発明の第１のコンソールボックスは、下記の（１）または（２）を備えるのが好ましく、（１）および（２）を備えるのがより好ましい。本発明の第２のコンソールボックスは下記の（１）または（３）を備えるのが好ましく、下記の（１）および（３）を備えるのがより好ましい。
【００１１】
（１）前記係止端部６７の表面と前記押圧端部６６の表面とは、弾性変形可能なクッション材６４、６５で構成されている。
【００１２】
（２）前記蓋体には、前記蓋体と別体成形された支持部５が一体化され、
前記傾動部６０は、該支持部５に枢支されるとともに、該支持部５を介して前記蓋体に枢支されている。
【００１３】
（３）前記第１蓋部２には、前記第１蓋部２と別体成形された支持部５が一体化され、
前記傾動部６０は、該支持部５に枢支されるとともに、該支持部５を介して前記第１蓋部２に枢支されている。
【発明の効果】
【００１４】
本発明の第１のコンソールボックスは、蓋体に取り付けられている規制手段を持つ。本発明の第２のコンソールボックスは、第１蓋部に取り付けられている規制手段を持つ。規制手段は、規制位置と解除位置との間を傾動する傾動部と、傾動部を規制位置に付勢する傾動部付勢部材とを持つ。規制位置において、傾動部の係止端部は、収納位置に配置されているテーブル体に係止する。このため、規制手段は、収納位置に配置されているテーブル体のスライド移動を規制する。よって、本発明の第１のコンソールボックスおよび第２のコンソールボックスによると、テーブル体の誤動作を防止できる。
【００１５】
また、傾動部の押圧端部は、蓋体が半開位置と閉位置との間を傾動する際、または、第１蓋部が第１半開位置と第１閉位置との間を傾動する際に、ケース体に当接する。そして、押圧端部がケース体によって相対的に押圧されることで、傾動部は傾動部付勢部材の付勢力に抗して解除位置に向けて傾動する。傾動部が解除位置に配置されると、傾動部の係止端部とテーブル体との係止が解除される。このためテーブル体はスライド可能になり、プッシュロックオープン式ロック手段によるテーブル体のロックが解除可能になる。すなわち、本発明の第１のコンソールボックスによると、蓋体が閉位置に配置されているとき以外は、傾動部が解除位置に配置されない。このため本発明の第１のコンソールボックスでは、収納位置に配置されているテーブル体のスライド移動を、規制手段によって信頼性高く規制できる。よって、本発明の第１のコンソールボックスによると、テーブル体の誤動作を信頼性高く抑制できる。同様に、本発明の第２のコンソールボックスによると、第１蓋部が第１閉位置に配置されているとき以外は、傾動部が解除位置に配置されないため、テーブル体の誤動作を信頼性高く抑制できる。
【図面の簡単な説明】
【００１６】
【図１】実施例のコンソールボックスを模式的に表す斜視図である。
【図２】実施例のコンソールボックスを模式的に表す斜視図である。
【図３】実施例のコンソールボックスを模式的に表す斜視図である。
【図４】実施例のコンソールボックスにおける支持部および規制手段を模式的に表す分解斜視図である。
【図５】実施例のコンソールボックスにおける第１蓋部、第２蓋部、テーブル体および規制手段の動作を模式的に表す説明図である。
【図６】実施例のコンソールボックスにおける第１蓋部、第２蓋部、テーブル体および規制手段の動作を模式的に表す説明図である。
【図７】実施例のコンソールボックスにおける第１蓋部、第２蓋部、テーブル体および規制手段の動作を模式的に表す説明図である。
【発明を実施するための形態】
【００１７】
以下、具体例を挙げて本発明のコンソールボックスを説明する。
【実施例】
【００１８】
実施例のコンソールボックスは、本発明の第２のコンソールボックスである。実施例のコンソールボックスは、上記（１）および（３）を備える。実施例のコンソールボックスを模式的に表す斜視図を図１〜図３に示す。詳しくは、図１は、第２蓋部が第２閉位置に配置され、第１蓋部が第１閉位置に配置され、テーブル体が収納位置に配置されている様子を表す。図２は、第２蓋部が第２閉位置に配置され、第１蓋部が第１開位置に配置され、テーブル体が収納位置に配置されている様子を表す。図３は、第２蓋部が第２閉位置に配置され、第１蓋部が第１閉位置に配置され、テーブル体が展開位置に配置されている様子を表す。実施例のコンソールボックスにおける支持部および規制手段を模式的に表す分解斜視図を図４に示す。実施例のコンソールボックスにおける第１蓋部、第２蓋部、テーブル体および規制手段の動作を模式的に表す説明図を図５〜図７に示す。詳しくは、図５は、テーブル体が収納位置に配置され、第２蓋部が第２閉位置に配置され、第１蓋部が第１半開位置に配置されているときの第１蓋部、第２蓋部、テーブル体および規制手段を表す。図６は、テーブル体が収納位置に配置され、第２蓋部が第２閉位置に配置され、第１蓋部が第１半開位置から第１閉位置に向けて回動しているときの、第１蓋部、第２蓋部、テーブル体および規制手段を表す。図７は、テーブル体が収納位置に配置され、第２蓋部が第２閉位置に配置され、第１蓋部が第１閉位置に配置されているときの第１蓋部、第２蓋部、テーブル体および規制手段を表す。以下、実施例において、上、下、左、右、前、後とは図１および図４に示す上、下、左、右、前、後を指す。
【００１９】
実施例のコンソールボックスは、ケース体１と、第１蓋部２と、第１蓋部付勢部材（図略）と、第１ロック手段（図略）と、第２蓋部３と、第２蓋部付勢部材（図略）と、第２ロック手段（図略）と、テーブル体４と、テーブル体付勢部材（図略）と、プッシュロックオープン式ロック手段（図略）と、支持部５と、規制手段６と、を備える。
【００２０】
図２に示すように、ケース体１は、上方に開口する箱状をなす。
【００２１】
図３および図５〜図７に示すように、第１蓋部２は、前方および後方に開口する扁平な箱状をなす。図５〜図７に示すように、第１蓋部２の後側の部分には、軸状をなす回動中心部２０が形成されている。回動中心部２０は、貫通孔状をなす回動軸受け部１０に枢支されている。回動軸受け部１０は、ケース体１の後側の部分に形成されている。第１蓋部２は、回動中心部２０を中心として、ケース体１の開口１１を閉じる第１閉位置（図１、図３）と、ケース体１の開口１１を開く第１開位置（図２）との間を回動する。
【００２２】
第１蓋部２とケース体１との間には、図略の第１蓋部付勢部材と図略の第１ロック手段とが介在している。第１蓋部付勢部材はコイルバネからなる。第１蓋部付勢部材の一端部は第１蓋部２に固定され、第１蓋部付勢部材の他端部はケース体１に固定されている。第１蓋部付勢部材は、第１蓋部２を図２に示す第１開位置に向けて付勢している。第１ロック手段は、第１蓋部２を図１に示す第１閉位置にロックする。
【００２３】
図１に示すように、第２蓋部３は略板状をなす。第２蓋部３の下側部分は硬質の樹脂材料からなり、第２蓋部３の上側部分は軟質の樹脂材料からなる蓋側クッション材３０で構成されている。第２蓋部３の下側かつ後側の部分には、軸状をなす副回動中心部（図略）が形成されている。副回動中心部は、第１蓋部２の後側の部分に形成され貫通孔状をなす副回動軸受け部（図略）に枢支されている。したがって第２蓋部３は、副回動中心部を中心として、その全体が第１蓋部２に近接する第２閉位置（図１〜図３）と、後端部が第１蓋部２から離間する第２開位置（図略）との間を回動する。第１蓋部２が第１閉位置に配置されているときに、第２蓋部３が第２開位置に回動すると、第１蓋部２の上面が露出する。このため、このとき第１蓋部２をトレイとして利用できる。なお、第２蓋部３は第１蓋部２に対して回動するため、第１蓋部２の回動に伴って第１蓋部２と一体に回動する。
【００２４】
第２蓋部３と第１蓋部２との間には、図略の第２蓋部付勢部材と図略の第２ロック手段とが介在している。第２蓋部付勢部材はコイルバネからなる。第２蓋部付勢部材の一端部は第２蓋部３に固定され、第２蓋部付勢部材の他端部はケース体１に固定されている。第２蓋部付勢部材は、第２蓋部３を図略の第２開位置に向けて付勢している。第２ロック手段は、第２蓋部３を図１〜図３に示す第２閉位置にロックする。
【００２５】
図３に示すように、テーブル体４は略板状をなす。テーブル体４は第１蓋部２に取り付けられ、第１蓋部２の内部に収納される収納位置（図１）と、第１蓋部２の前開口を経て前方に展開される展開位置（図３）と、の間をスライドする。詳しくは、第１蓋部２の内部には図略のスライドレールが設けられ、テーブル体４の下面にはスライドレールとスライド可能に係合する図略のスライド係合部が設けられている。スライド係合部がスライドレールに案内されることで、テーブル体４は収納位置と展開位置との間を安定してスライドする。図５〜図７に示すように、テーブル体４の後端部は下方に隆起している。この隆起した部分には、テーブル体側係止部４０が形成されている。テーブル体側係止部４０は、上下方向に延びる貫通孔状をなす。
【００２６】
図略のテーブル体付勢部材は定荷重ばねからなる。テーブル体付勢部材の一端部はテーブル体４に固定され、他端部は第１蓋部２の内部に固定されている。テーブル体４が収納位置に配置されると、テーブル体付勢部材は弾性的に圧縮変形して付勢力を蓄積する。蓄積された付勢力によって、テーブル体付勢部材はテーブル体４を展開位置に向けて付勢する。
【００２７】
図略のプッシュロックオープン式ロック手段は、ハートカムからなる。展開位置に配置されているテーブル体４を収納位置にまでスライドさせると、プッシュロックオープン式ロック手段は、テーブル体４を収納位置にロックする。また、収納位置にロックされているテーブル体４をさらに後方に押圧すると、プッシュロックオープン式ロック手段によるテーブル体４のロックが解除される。
【００２８】
図４に示すように、支持部５は、支持枠部５０と、枢支軸部５１とを持つ。支持枠部５０は、前方および後方に開口する枠状をなす。枢支軸部５１は左右方向に延びる軸状をなす。枢支軸部５１は支持枠部５０と別体で形成され、後述する傾動部６０に挿通された後に、支持枠部５０に一体化されている。支持部５は第１蓋部２と別体成形され、図５〜図７に示すように、第１蓋部２の後側内部に嵌合一体化されている。図５に示すように、支持枠部５０には、後述する傾動ストッパ部６８と係合可能なストッパ押さえ部５２が形成されている。
【００２９】
図４に示すように、規制手段６は、傾動部６０と、傾動部付勢部材６１とを持つ。傾動部６０は、傾動本体部６２と、２つのクッション材６４、６５とを持つ。傾動本体部６２は前後方向に延びる板状をなす。傾動本体部６２の後端部は下方に向けて湾曲し、前端部は上方に向けて湾曲している。傾動本体部６２の前端部および後端部には、それぞれ、フェルト製のクッション材６４、６５が貼り付けられている。実施例のコンソールボックスにおいては、傾動本体部６２の後端部、および、後端部に貼り付けられているクッション材６５が押圧端部６６に相当する。また、傾動本体部６２の前端部、および、前端部に貼り付けられているクッション材６４が係止端部６７に相当する。
【００３０】
傾動本体部６２には、貫通孔状をなす傾動中心部６３が形成されている。傾動中心部６３は左右方向に延びる。各傾動中心部６３は、前後方向において、係止端部６７と押圧端部６６との間に配置されている。詳しくは、係止端部６７から傾動中心部６３までの長さ（傾動中心部６３の延びる方向に直交する方向の長さ、前後方向の長さ）は、傾動中心部６３から押圧端部６６までの長さよりも長い。傾動中心部６３には支持部５の枢支軸部５１が挿通されている。したがって、傾動部６０は支持部５に枢支されている。
【００３１】
傾動部付勢部材６１は、コイルバネからなり、傾動中心部６３の周縁部に装着されている。図５に示すように、傾動部付勢部材６１の一端部は傾動部６０に固定され、他端部は支持部５に固定されている。傾動部付勢部材６１は、傾動部６０を、係止端部６７が上向し押圧端部６６が下向する方向に（すなわち、後述する規制位置に向けて）付勢している。
【００３２】
図４に示すように、傾動本体部６２には、左方に突起する傾動ストッパ部６８が形成されている。詳しくは、傾動ストッパ部６８は傾動中心部６３の周縁部に形成されている。図５に示すように、傾動ストッパ部６８は、傾動部６０が規制位置に配置されると、支持枠部５０のストッパ押さえ部５２と係合する。傾動ストッパ部６８とストッパ押さえ部５２とが係合することで、傾動部６０は、規制位置で傾動を停止する。
【００３３】
支持部５は、傾動部６０および傾動部付勢部材６１が組み付けられた状態で、第１蓋部２の後端側内部に組み付けられる。したがって傾動部６０は、支持部５に枢支されるとともに、支持部５を介して第１蓋部２に枢支されている。支持部５および第１蓋部２に組み付けられた傾動中心部６３および傾動部付勢部材６１は、テーブル体４よりも後側に配置される。図５に示すように、係止端部６７はテーブル体４の後端部と前後方向に重なる。押圧端部６６は、第１蓋部２の後開口２５を経て第１蓋部２の後方に露出する。
【００３４】
実施例のコンソールボックスの動作を以下に説明する。
【００３５】
先ず、図１に示すように、第１蓋部２が第１閉位置に配置され、第２蓋部３が第２閉位置に配置され、かつ、テーブル体４が収納位置に配置されているときには、第１蓋部２は第１ロック手段によって第１閉位置にロックされている。第２蓋部３は第２ロック手段によって第２閉位置にロックされている。第１蓋部付勢部材および第２蓋部付勢部材には、それぞれ、付勢力が蓄積されている。テーブル体４は、プッシュロックオープン式ロック手段によって収納位置にロックされている。第２蓋部３は第１蓋部２の上方に配置されている。第２蓋部３の上側部分は蓋側クッション材３０で構成されているため、このとき第２蓋部３をアームレストとして利用することができる。
【００３６】
このとき規制手段６の傾動部６０は、図７に示す解除位置に配置されている。詳しくは、傾動部６０は係止端部６７を下向させ押圧端部６６を上向させている。押圧端部６６は、ケース体１の一部であるケース側押圧部１２に当接している。係止端部６７はテーブル体側係止部４０の下方に配置され、係止端部６７とテーブル体側係止部４０とは係止していない。このため、テーブル体４は、図７中２点鎖線で示すように、後方にスライド可能である。テーブル体４を収納位置からさらに後方にスライドさせると、プッシュロックオープン式ロック手段のロックが解除される。よって、テーブル体付勢部材によって付勢されたテーブル体４は、前方にスライドし図３に示す展開位置に配置される。なお、展開位置に配置されたテーブル体４のテーブル体側係止部４０は、係止端部６７の上方かつ前方に配置される。
【００３７】
第１蓋部２を第１閉位置に配置した状態で、展開位置に配置されているテーブル体４を後方にスライドさせると、プッシュロックオープン式ロック手段がテーブル体４を収納位置にロックする。なお、このとき傾動部６０は解除位置に配置されたままであり、傾動部６０の係止端部６７はテーブル体側係止部４０の下方に配置されている。このため、傾動部６０はテーブル体４に干渉せず、テーブル体４はスライド可能である。
【００３８】
図７に示すように、第１蓋部２が第１閉位置に配置され、かつ、テーブル体４が収納位置に配置されている状態で、第１ロック手段を解除操作すると、第１蓋部付勢部材に付勢された第１蓋部２は第１回動中心部２０を中心として図５〜図７中時計回りに回動し、図２に示す第１開位置に配置される。なお、このとき第２蓋部３は第２閉位置にロックされているため、第１蓋部２とともに回動する。
【００３９】
図２に示すように、第１蓋部２が第１開位置に回動すると、ケース体１の開口１１が露出する。ケース体１は箱状をなすため、このときケース体１の内部空間に荷物を出し入れすることができる。また、ケース体１の内部に各種のスイッチ等が配設されている場合には、この操作スイッチ等を操作することもできる。
【００４０】
第１蓋部２が第１閉位置（図７）と第１半開位置（図５）との間を揺動している間は、ケース側押圧部１２は押圧端部６６に当接している。したがって、このとき傾動部６０は押圧端部６６によって相対的に押圧されることで、傾動部付勢部材６１によって規制位置に付勢されているにもかかわらず、規制位置には配置されない。
【００４１】
第１蓋部２が第１半開位置を超えて第１開位置に向けて回動すると、ケース側押圧部１２は押圧端部６６よりも下方に配置される。このためケース側押圧部１２による押圧端部６６への相対的な押圧が解除される。傾動部６０は、傾動部付勢部材６１によって付勢されているため、時計回りに傾動し、規制位置に配置される。すると、テーブル体側係止部４０に向けて突出している傾動部６０の係止端部６７は、テーブル体側係止部４０に係止する。このため、テーブル体４のスライドは規制手段６によって規制される。したがって、このときテーブル体４は、図５中二点鎖線で示すように後方に僅かにスライドするだけであり、プッシュロックオープン式ロック手段は解除されない。よって、このときコンソールボックスに衝撃が加わっても、テーブル体４は収納位置に配置されたままである。すなわち、このときテーブル体４は誤動作し難い。第１蓋部２が第１開位置から第１半開位置に向けて回動するときにも、同様に、規制手段６がテーブル体４のスライドを規制する。したがってこのときにもテーブル体４は誤動作し難い。
【００４２】
テーブル体４が収納位置に配置されている状態で、第１開位置に配置されている第１蓋部２が第１半開位置にまで回動すると、図５に示すように、ケース側押圧部１２が押圧端部６６に当接する。ケース側押圧部１２は、押圧端部６６に対して、第１蓋部２が第１開位置から第１閉位置に回動する際における回動方向の先側に配置されている。また、ケース側押圧部１２は、第１蓋部２が第１半開位置と第１閉位置との間を回動する際における押圧端部６６の移動領域内に突出している。このため、第１蓋部２が第１開位置から第１半開位置にまで回動すると、ケース側押圧部１２が押圧端部６６に当接する。そして、第１蓋部２が第１半開位置から第１閉位置に向けて回動すると、押圧端部６６はケース側押圧部１２によって相対的に押圧される。このため傾動部６０は、傾動中心部６３を中心として反時計回りに傾動する。傾動部６０が解除位置にまで傾動すると、図７に示すように、係止端部６７が下向してテーブル体側係止部４０の下方に配置される。したがって、このとき係止端部６７とテーブル体側係止部４０との係止が解除される。よって、このときテーブル体４は収納位置からさらに後方にスライドさせることができ、プッシュロックオープン式ロック手段によるテーブル体４のロックを解除できる。プッシュロックオープン式ロック手段によるロックが解除されると、テーブル体４は、テーブル体付勢部材の付勢力によって前方にスライドして、展開位置に配置される。
【００４３】
実施例のコンソールボックスにおいては、傾動部６０の係止端部６７および押圧端部６６の表面はクッション材６４、６５で構成されている。このため、傾動部６０の係止端部６７がテーブル体側係止部４０と当接する際にはクッション材６４が弾性変形して衝撃を吸収する。傾動部６０の押圧端部６６がケース側押圧部１２に当接する際には、クッション材６５が弾性変形して衝撃を緩和する。よって、実施例のコンソールボックスによると、係止端部６７とテーブル体４とが当接する際に生じる打音、および、押圧端部６６とケース体１とが当接する際に生じる打音を抑制できる。
【００４４】
実施例のコンソールボックスにおいては、第１蓋部２が第１半開位置から第１開位置に向けて回動する際には、傾動部６０の係止端部６７とテーブル体４のテーブル体側係止部４０とが係止することで、テーブル体４のスライドが規制される。すなわち、このとき規制手段６はテーブル体４のスライドを機械的に規制する。このため、実施例のコンソールボックスによると、テーブル体４の誤動作を信頼性高く抑制できる。
【００４５】
また、傾動部６０の傾動中心部６３は係止端部６７と押圧端部６６との間に位置する。このため傾動部６０はシーソー状をなす。さらに、係止端部６７から傾動中心部６３までの長さは、傾動中心部６３から押圧端部６６までの長さよりも長い。このため、押圧端部６６を小さく動かすだけで（すなわち、比較的小さな力を押圧端部６６に加えるだけで）、係止端部６７を大きく動かすことができる。このため、傾動部６０は狭い空間に配設することができる。よって、実施例のコンソールボックスにおける傾動部６０は、広い空間を確保し難い第１蓋部２に容易に配設でき、かつ信頼性高く動作する利点がある。
【００４６】
さらに、実施例のコンソールボックスにおいては、予め規制手段６が枢支されている支持部５を第１蓋部２に取り付けている。このため実施例のコンソールボックスは容易に製造できる。
【００４７】
実施例のコンソールボックスは、テーブル体４および規制手段６を取り付けた第１蓋部２とは別に、第１蓋部２に対して回動可能な第２蓋部３を持つが、第２蓋部３をなくしても良い。第２蓋部３を持たず第１蓋部２のみを持つコンソールボックスは、本発明の第１のコンソールボックスである。このコンソールボックスにおける第１蓋部２は、本発明の第１のコンソールボックスにおける蓋体に相当する。この場合には、蓋体（第１蓋部２）に取り付けらている規制手段６によって、同じく蓋体に取り付けられているテーブル体４のスライドを規制できる。よってこの場合にも、実施例のコンソールボックスと同様に、半開位置と開位置との間を蓋体が回動する際には、収納位置に配置されているテーブル体４のスライドを規制手段６が規制し、テーブル体４の誤動作を抑制できる。
【００４８】
なお、テーブル体４は、単に板状をなしても良いし、箱状等の他の形状をなしても良い。また、容器を収容保持するための凹部をテーブル体４に形成して、テーブル体４をカップホルダとして利用しても良い。さらには、テーブル体４に各種の操作スイッチ等を配設しても良い。
【産業上の利用可能性】
【００４９】
本発明のコンソールボックスは、車両用のコンソールボックスとして利用できる。
【符号の説明】
【００５０】
１：ケース体                ２：第１蓋部            ３：第２蓋部
４：テーブル体              ５：支持部              ６：規制手段
１１：ケース体の開口        ２０：回動中心部        ６０：傾動部
６１：傾動部付勢部材        ６４，６５：クッション材
６６：押圧端部              ６７：係止端部
【図１】
2010208563.tif 000003
【図２】
2010208563.tif 000004
【図３】
2010208563.tif 000005
【図４】
2010208563.tif 000006
【図５】
2010208563.tif 000007
【図６】
2010208563.tif 000008
【図７】
2010208563.tif 000009